(57)【要約】【課題】地図画像データと地番データとを使用して、認識結果地番及び認識結果地番の位置の確認を確実かつ迅速に実行することを目的とする。【解決手段】地図画像データに含まれる地番の自動認識処理を行い、その認識結果地番と地番の正解ファイルとの比較処理を実行する。比較結果から認識結果地番を、一意・確定地番、重複・曖昧地番、未認識地番の３つの状態に分類し、状態毎に認識結果地番の確認作業を実行する。確認作業を行う地番の切替は半自動的に行われる。ディスプレイに表示された画面の大領域には地図画像が表示され、小領域には切出し画像が表示され、文字コード表示領域には文字コードが表示される。大領域に表示される認識結果地番には所定の色及び線幅の矩形によって囲まれて表示される。小領域と文字コード表示領域は並べて表示される。【選択図】　図１
2004102722.tif 000002
【特許請求の範囲】
【請求項１】
地図画像データより地番を読み取ってコード化データとして認識結果地番を得るための自動認識処理部と、該自動認識処理部によって得られた認識結果地番の文字コードと上記地番の文字コードとを比較して上記認識結果地番及び上記地番の文字コードを３つのリストに分類するためのデータマッチング処理部と、該データマッチング処理部によって分類された３つのリスト毎に上記認識結果地番の文字コードを上記地図画像データとを比較し確認するための認識結果の確認処理部と、上記認識結果の確認処理部における処理中に認識結果確認画面を表示するための表示装置と、オペレータが入力操作を行うための入力装置と、を有し、上記認識結果確認画面は上記認識結果地番を含む地図画像データを表示するための大画像表示領域と上記認識結果地番を含む小さな領域を切り取って表示する小画像表示領域と上記認識結果地番の文字コードを表示するための文字コード表示領域とを有し、上記大画像表示領域、上記小画像表示領域及び上記文字コード表示領域は上記認識結果確認画面内にて同時に且つ異なる位置に配置されることを特徴とする認識結果の確認支援装置。
【請求項２】
上記認識結果確認画面は上記３つのリストを表示するための３つのリストボックスを含み、各リストボックスには上記データマッチング処理部によって分類された認識結果地番及び上記地番の文字コードが登録され、オペレータは上記入力装置によって上記リストボックスから１つの認識結果地番を選択することができるように構成されていることを特徴とする請求項１記載の認識結果の確認支援装置。
【請求項３】
上記大画像表示領域にて表示された認識結果地番は矩形によって囲まれ、該矩形の色及び線幅は認識結果地番の情報を表示していることを特徴とする請求項１記載の認識結果の確認支援装置。
【請求項４】
上記自動認識処理部は地図画像データより地番を読み取って認識結果地番として、認識結果地番の文字コード、認識結果地番の位置、認識結果地番を囲む矩形の寸法、傾斜角度、認識結果の確かさを含む認識結果情報を得ることを特徴とする請求項１記載の認識結果の確認支援装置。
【請求項５】
上記３つのリストは、認識結果地番の文字コードと同一の地番が地番データ中に存在する場合には、その認識結果地番を登録するための「一意・確定リスト」と、認識結果地番の文字コードと同一の地番が地番データ中に存在するが既に上記一意・確定リストに登録されている場合及び認識結果地番の文字コードと同一の地番が地番データ中に存在しない場合に、その認識結果地番を登録するための「重複・曖昧リスト」と、地番データ中に、認識結果地番に含まれない地番が存在するときには、その地番を登録するための「未認識リスト」とを含むことを特徴とする請求項１記載の認識結果の確認支援装置。
【請求項６】
地図画像データより地番を読み取ってコード化データとして認識結果地番を得るための自動認識処理ステップと、該自動認識処理ステップによって得られた認識結果地番の文字コードと上記地番の文字コードとを比較して上記認識結果地番を３つのリストに分類するためのデータマッチング処理ステップと、該データマッチング処理ステップによって分類された３つのリスト毎に上記認識結果地番の文字コードを上記地図画像データと比較し確認するための認識結果の確認処理ステップと、上記認識結果地番を含む地図画像を大画像表示領域に表示するための大画像表示ステップと、上記認識結果地番を含む小さな領域を切り取って小画像表示領域に表示するための小画像表示ステップと、上記認識結果地番の文字コードを文字コード表示領域に表示するための文字コード表示ステップと、を含み、上記大画像表示領域、上記小画像表示領域及び上記文字コード表示領域は上記認識結果確認画面内にて同時に且つ異なる位置に配置されることを特徴とする認識結果の対話的確認支援方法。
【請求項７】
請求項６記載の各ステップをコンピュータによって実行するためのプログラム。
【発明の詳細な説明】
【０００１】
【発明の属する技術分野】
本発明は、スキャナ等からの画像データをコンピュータによって処理可能なコード化データに変換するため自動認識技術に関し、特に、地図画像データの地番を自動認識した結果を確認するための技術に関する。
【０００２】
【従来の技術】
スキャナ等によって文書を光学的に読み取り、得られた画像データをコンピュータによって処理可能なコード化データに変換するための自動認識技術が知られている。自動認識技術では、コード化データとして得られた認識結果が原文書と同一であるか否かを確認する作業が必要である。
【０００３】
オペレータは、表示装置に表示されている認識結果を原文書と比較し、誤りがない場合には、認識結果をそのまま出力し、誤りがある場合には修正し、修正した結果を出力する。
原文書が地図や図面のように文字、記号及び図形を含む場合には、誤認識が起こり易く、オペレータの確認作業が多大になる。
【０００４】
従来、図面の自動認識及び確認方法として、特開平５−１２３５９号公報、特開平５−２２５３７５号公報及び特開平１０−２２８５４１号公報に記載された例が知られている。
【０００５】
特開平５−１２３５９号公報に記載された例では、画像データより得られた輪郭ベクトルと認識結果を同一画面に重ねて表示し、両者を見比べながら削除・作図作業を実行する。従って、原図面と認識結果を交互に見る必要が無いので、作業が能率化する。
【０００６】
特開平５−２２５３７５号公報に記載された例では、予め図面に存在する文字列を正解文字データとしてデータベース化する。自動認識処理では、文字認識結果と正解文字列データとの比較を行い、正解文字列データの中に認識結果文字列と同一の文字列が存在する場合には、文字認識結果を正解とし文字列修正作業から除外する。従って、文字認識結果の正解／不正解の確認を自動的に判定することができる。また、正解文字列データベースを使用して不正解文字を修正するため、修正作業が容易となり、作業速度を速めることができる。
【０００７】
また特開平１０−２２８５４１号公報に記載された例では、認識結果を１つに決めずに１０個程度保有し、この複数の認識結果をダイアログボックスに表示して記号の編集を行うため、誤認識記号の修正・確定を迅速に実行することができる。
【０００８】
一般的な文字認識の結果確認装置では、文字として切出された画像と認識結果である文字コードを並べて表示し判定する。原画像と認識結果が同一ウィンドウ内に表示されるため確認作業が容易となる。また、切出された文字列画像のみが表示されるため、画像内に余計な情報が含まれず、正誤の判断を迅速に実行することができる。
【０００９】
【発明が解決しようとする課題】
しかしながら、特開平５−１２３５９号公報に記載された例では、文字列が多くない画像領域では作図作業が有効である。しかしながら、文字列が多く存在するような画像領域では、輪郭ベクトルと認識結果を同一画面に重ねて表示し両者を比較するのは困難となることがある。またこの比較作業は画像全体に対して実行する必要があり、比較対象領域の設定はオペレータが行うため修正漏れが起こる可能性があり、確認作業全体の効率が悪い。
【００１０】
特開平５−２２５３７５号公報に記載された技術では、正解文字列データベースと認識結果文字列が一意になる場合は有効である。しかしながら、図面の状態が悪く、文字列候補の切出しが正しく実行されなかった場合、同一の認識結果文字列が複数個発生することがある。この公報には、このような重複した認識結果が発生した場合の処理方法が記述されていない。従がって、誤って切出された文字列を正解と判断し、修正作業が実行されないことが考えられる。
【００１１】
特開平１０−２２８５４１号公報に記載された例では、認識結果のシンボル図形候補は別のダイアログボックスとして表示される。そのため、図面内の対象となるシンボルとダイアログボックスが重なって表示されることも考えられる。逆に、図面内の対象となるシンボルとダイアログボックスがかなり離れて表示される場合もある。また、図面内の対象となるシンボル位置から、ダイアログボックスの表示位置を自動的に判断する方法も考えられるが、どの位置にダイアログボックスが表示されるのかオペレータが判断できないため、確認作業に手間取ることが考えられる。
【００１２】
また、一般的な文字認識の結果確認装置では、切出された文字の画像と認識結果である文字コードの両者を表示して判定するが、地図のように線分、記号等の余計な情報を多く含む場合、正確に文字部分の切出しが実行されるとは限らないため、周辺情報の表示が必要となる。
【００１３】
本発明の目的は、上記の事情に鑑みてなされたもので、自動認識によってコード化データとして得られた認識結果から、地図上の地番とその位置情報と文字領域を確実に且つ効率的に確認するための、自動認識結果の対話的確認支援方法及び装置ならびに記憶媒体を提供することである。
【００１４】
【課題を解決するための手段】
本発明によると、認識結果の確認支援装置は、演算処理装置とハードディスク装置と表示装置とオペレータが入力操作を行うための入力装置を有する。演算処理装置は、地図画像データより地番を読み取ってコード化データとして認識結果地番を得るための自動認識処理部と、該自動認識処理部によって得られた認識結果地番の文字コードと上記地番の文字コードとを比較して上記認識結果地番及び上記地番の文字コードを３つのリストに分類するためのデータマッチング処理部と、該データマッチング処理部によって分類された３つのリスト毎に上記認識結果地番を上記地図画像データとを比較し確認するための認識結果の確認処理部と、を有する。
【００１５】
表示装置には、上記認識結果の確認処理部における処理中に認識結果確認画面が表示される。上記認識結果確認画面は上記認識結果地番を含む地図画像データを表示するための大画像表示領域と上記認識結果地番を含む小さな領域を切り取って表示する小画像表示領域と上記認識結果地番の文字コードを表示するための文字コード表示領域とを有する。上記大画像表示領域、上記小画像表示領域及び上記文字コード表示領域は、上記認識結果確認画面内にて同時に且つ異なる位置に配置される。
【００１６】
こうして本発明によると、表示装置の画面に、大画像表示領域、小画像表示領域及び文字コード表示領域の３つの領域が同時に表示されるから、オペレータの確認作業が効率化されることができる。
本発明によると、認識結果地番は３つのリストに分類され、各リスト毎に確認作業がなされるから、能率的に確認作業を実行することができる。
【００１７】
【発明の実施の形態】
以下、本発明を実施する場合の一形態について図面を参照して具体的に説明する。
【００１８】
図１は、本発明による認識結果の対話的確認支援システムの構成例を示す図である。本例の認識結果の対話的確認支援システムは、演算処理装置１１とメモリ１５とハードディスク装置１６と画像、図形、ウィンドウ等を表示するためのディスプレイ１２とオペレータが様々な入力操作を実行するためのキーボード１３及びマウス１４とを有する。本例の認識結果の対話的確認支援システムは、通常のパーソナルコンピュータ又はワークステーションによって実現することができる。
【００１９】
演算処理装置１１は、自動認識処理Ｓ１を実行するための自動認識処理部１１１とデータマッチング処理Ｓ２を実行するためのデータマッチング処理部１１２と認識結果の確認処理Ｓ３を実行するための認識結果の確認処理部１１３と認識結果の確認処理Ｓ３において地図画面等をディスプレイ１２に表示するための表示処理部１１４とを有する。これらの構成部１１１〜１１４は、ソフトウェアプログラムによって実現されてよい。自動認識処理Ｓ１、データマッチング処理Ｓ２及び認識結果の確認処理Ｓ３については後に詳細に説明する。
【００２０】
ハードディスク装置１６には、画像データ格納ファイル１６１、地番データ格納ファイル１６２、認識結果格納ファイル１６３及び位置情報付き地番データ格納ファイル１６４が格納される。
【００２１】
画像データ格納ファイル１６１には、スキャナ等によって得られた自動認識処理の対象である地図画像データが予め格納されている。地番データ格納ファイル１６２には、画像データ格納ファイル１６１に格納された地図画像データに対応した地番データが格納されている。この地番データは、オペレータが予め入力したものであり、認識結果地番と比較するための正解ファイルである。認識結果格納ファイル１６３には地図画像データに対する自動認識処理の結果が格納されている。自動認識処理の結果の内容は、図４を参照して説明する。位置情報付き地番データ格納ファイル１６４には、認識結果の確認作業をすべて終了したとき、確定状態の認識結果が格納される。
【００２２】
メモリ１５には、画像データ記憶部１５１、地番データテーブル１５２、認識結果テーブル１５３及びリストインデクステーブル１５４が格納される。画像データ記憶部１５１、地番データテーブル１５２及び認識結果テーブル１５３には、ハードディスク装置１６の画像データ格納ファイル１６１、地番データ格納ファイル１６２及び認識結果格納ファイル１６３からの各ファイルが一時的に格納される。リストインデクステーブル１５４には、後に説明する３つのリスト、即ち、「一意・確定リスト」「重複・曖昧リスト」「未認識リスト」を構成する。
【００２３】
図２は、本発明の一実施形態の手順を示すフローチャートである。本発明は、図示するように、スキャナ等からの地図画像データの地番を自動認識処理するための自動認識処理Ｓ１と、自動認識処理Ｓ１によって認識された地番、即ち、認識結果地番をハードディスクから読み出された正解ファイル、即ち、地番データと比較し３つの状態に分類するためのデータマッチング処理Ｓ２と、データマッチング処理Ｓ２にて分類された３つの状態毎に、認識結果地番を確認するための認識結果の確認処理Ｓ３とを含み、これらの順に処理を実行する。
【００２４】
図３を参照して、メモリ１５の地番データテーブル１５２の内容の例を説明する。地番データテーブル１５２には、ハードディスク１６の地番データ格納ファイル１６２から読み出された一地図分の地番データレコード２１が配列されて格納される。地番データレコード２１は地番２１１とマッチフラグ２１２とを含む。地番２１１には、一地図に含まれる全ての地番が格納される。
【００２５】
マッチフラグ２１２には、後述のデータマッチング処理Ｓ２において、地番２１１のマッチング情報が格納される。本実施例では、マッチフラグ２１２には、地番２１１が既にマッチング処理されている場合、即ち、地番２１１に対応する認識結果地番が一意・確定リストに登録されている場合には「１」が設定される。地番２１１が未だマッチング処理されていない場合、即ち、地番２１１に対応する認識結果地番が一意・確定リストに登録されていない場合には「０」が設定される。
【００２６】
図４を参照して、メモリ１５の認識結果テーブル１５３の内容の例を説明する。認識結果テーブル１５３には、ハードディスク１６の認識結果格納ファイル１６３から読み出された一地図分の認識結果レコード３１が配列されて格納される。認識結果レコード３１は、認識結果地番３１１と基準点３１２と幅３１３、高さ３１４及び角度３１５と、確かさ３１６と状態フラグ３１７とを含む。認識結果地番３１１には、自動認識処理Ｓ１にて得られた認識結果地番の文字コードが格納される。基準点３１２には、認識結果地番の画像上での位置を示す座標値（Ｘ，Ｙ）が格納される。幅３１３、高さ３１４及び角度３１５には、画像上で認識結果地番を囲む矩形の幅、高さ、傾きがそれぞれ格納される。
【００２７】
確かさ３１６には、自動認識処理Ｓ１で使用される「評価値」が格納される。本実施例では、確かさ３１６の「評価値」は正値であり、値が小さいほど認識結果の確かさが大きいことを意味する。
状態フラグ３１７には、認識結果の確定情報が格納される。本実施例によると、状態フラグ３１７には、未確定状態のときに「０」、確定状態のときに「１」、破棄状態のときに「２」が設定される。
【００２８】
未確定状態とは、認識結果地番である文字コードが未だ確定していない状態をいう。確定状態とは、認識結果地番である文字コードが確定した状態であり、ディスプレイ１２にて表示されている地番の画像と認識結果地番の文字コードが同一であるか又は修正した文字コードが同一である場合をいう。破棄状態とは認識結果地番である文字コードが破棄された状態であり、ディスプレイ１２にて表示されている地番の画像が、誤認識により地番以外の文字を認識したものであったために、認識結果地番を削除した場合である。
【００２９】
図５を参照して、リストインデクステーブル１５４の内容の例を説明する。リストインデクステーブル１５４は、後に説明するデータマッチング処理Ｓ２及び認識結果の確認処理Ｓ３にて使用される３つのリスト、即ち、「一意・確定リスト」「重複・曖昧リスト」「未認識リスト」を構成する。リストインデクステーブル１５４には、一定数のインデクスレコード４１が配列されて格納される。データマッチング処理Ｓ２にて、各リストにおける配列数が足りなくなった場合は、配列数を増加させることができる。
【００３０】
インデクスレコード４１は地番４１１とインデクス４１２とを含む。地番４１１には、データマッチング処理Ｓ２にて各リストに登録された認識結果地番の文字コードが格納される。インデクス４１２には、各リストに登録された認識結果地番の詳細情報を有する認識結果テーブル１５３内の認識結果レコード３１のインデクスが格納される。
【００３１】
図６を参照して図２にて説明した自動認識処理Ｓ１の処理手順を説明する。自動認識処理Ｓ１は、上述のように、演算処理装置１１の自動認識処理部１１１によって実行される。ステップＳ１０にて初期設定がなされる。初期設定では、ハードディスク１６の画像データ格納ファイル１６１に格納された地図画像データとハードディスク１６の地番データ格納ファイル１６２に格納された地番データが指定される。上述のように画像データ格納ファイル１６１には、スキャナ等によって得られた地図画像データが予め格納されている。地番データ格納ファイル１６２にはオペレータが予め入力した地番データが格納されている。
【００３２】
また同時に、自動認識処理の終了後に認識結果を格納するためのハードディスク１６の認識結果格納ファイル１６３が指定される。尚、自動認識処理を実行する地図画像ファイル数に関しては特別に制限を設けず、複数枚の指定が可能であってよい。
【００３３】
ステップＳ１１にて、ハードディスク１６の画像データ格納ファイル１６１から地図画像データが読み出され、メモリ１５の地図画像データ記憶部１５１に格納される。ステップＳ１２にて、ハードディスク１６の地番データ格納ファイル１６２から地番データが読み出され、メモリ１５の地番データテーブル１５２に格納される。
ステップＳ１３にて、地図画像データと正解ファイル、即ち、地番データテーブル１５２を使用して地図画像上の地番の自動認識処理が実行される。この自動認識処理には、公知の文字認識技術が使用されてよい。
【００３４】
自動認識処理では、文字の切出し方法、文字の認識方法、辞書ファイル等を随時変更することによって認識率の向上を図ってよい。認識率とは、認識結果地番と地番データとが一致する割合のことである。このように複数の方法によって認識率の向上を図ると、自動認識処理が終了するまでの時間が長くなる。しかしながら、本例では、自動認識処理Ｓ１と認識結果の確認処理Ｓ３を切り離し、別々のプロセスにて実行可能なため、自動認識処理Ｓ１の認識率の向上によって、認識結果の確認処理Ｓ３の短縮化が妨げられることはない。
【００３５】
自動認識処理の結果として、図４を参照して説明した認識結果レコード３１の各事項に記載される内容が得られる。ステップＳ１４にて、自動認識処理の結果は、ハードディスク１６の認識結果格納ファイル１６３に保存される。
【００３６】
図７を参照して図２にて説明したデータマッチング処理Ｓ２の処理手順を説明する。データマッチング処理Ｓ２は、上述のように、演算処理装置１１のデータマッチング処理部１１２によって実行される。またデータマッチング処理Ｓ２は、後に図８に示す認識結果確認画面がディスプレイ１２に表示される前にデータマッチング処理部１１２によって自動的に実行される。
【００３７】
データマッチング処理Ｓ２では、認識結果地番と正解ファイル、即ち、地番データテーブル１５２が比較され、認識結果地番は、「一意・確定リスト」「重複・曖昧リスト」「未認識リスト」のいずれかに分類される。
【００３８】
本実施例では、認識結果地番と同一の地番が地番データテーブル１５２中に存在する場合には、その認識結果地番は「一意・確定リスト」に登録される。「一意・確定リスト」には、原則として地番データテーブル１５２中の各地番に対して、１つの認識結果地番のみが登録される。例外的に、一地図に同一地番が２以上存在する場合、２つ以上の同一地番が「一意・確定リスト」に登録される。
【００３９】
認識結果地番と同一の地番が地番データテーブル１５２中に存在するが既に一意・確定リストに登録されている場合及び認識結果地番と同一の地番が地番データテーブル１５２中に存在しない場合には、その認識結果地番は「重複・曖昧リスト」に登録される。
地番データテーブル１５２中に、認識結果地番に含まれない地番が存在するときには、その地番は認識結果テーブル１５３に格納され、この地番は「未認識リスト」に登録される。
【００４０】
ステップＳ２００にて、先ず、ハードディスク１６の地番データ格納ファイル１６２から地番データが読み出され、メモリ１５の地番データテーブル１５２に格納される。ステップＳ２０１にて、ハードディスク１６の認識結果格納ファイル１６３から自動認識結果が読み出され、メモリ１５の認識結果テーブル１５３に格納される。ステップＳ２０２にて、全ての自動認識結果に対して、認識結果地番と地番データテーブル１５２の比較が完了したか否かが判定される。
【００４１】
全ての認識結果地番に対する比較処理が完了していないなら、ステップＳ２０３の比較ステップに進む。ステップＳ２０３にて、データマッチング処理Ｓ２の対象である認識結果地番ｒと地番データテーブル１５２の各地番２１１との比較がなされる。ここでは、認識結果テーブル１５３に格納された１個の認識結果レコードの認識結果地番３１１をｒと表現した。ステップＳ２０３の比較ステップにて、地番データテーブル１５２中に認識結果地番ｒと同一の地番が存在しないと判定された場合には、ステップＳ２０４に進み、この認識結果地番ｒは重複・曖昧リストに登録され、ステップＳ２０２に戻り、次の認識結果地番の処理に進む。
【００４２】
ステップＳ２０３の比較ステップにて、地番データテーブル１５２中に認識結果地番ｒと同一の地番が存在すると判定された場合には、その地番２１１をｍと表現し、ステップＳ２０５に進む。ステップＳ２０５にて、地番ｍのマッチフラグ２１２が０であるか１であるかが判定される。即ち、地番ｍと同一の認識結果地番が一意・確定リストに未登録であるか又は既登録であるかが判定される。地番ｍのマッチフラグ２１２が０であれば、地番ｍと同一の認識結果地番は一意・確定リストに未登録である。ステップＳ２０６にて、地番ｍのマッチフラグには０の代わりに１が設定され、ステップＳ２０７にて、認識結果地番ｒが一意・確定リストに登録される。
【００４３】
ステップＳ２０５にて、地番ｍのマッチフラグ２１２が１であれば、認識結果地番ｒと同一地番の認識結果地番が既に一意・確定リストに登録されていることになる。この認識結果地番をｓとし、ステップＳ２０８に進む。ステップＳ２０８にて、データマッチング処理Ｓ２の対象である認識結果地番ｒの確かさ３１６と一意・確定リストに登録されている認識結果地番ｓの確かさ３１６が比較される。上述のように、自動認識処理によって得られた認識結果地番の確かさは評価値によって表される。評価値が小さいほど、認識結果地番の確かさは高い。
【００４４】
認識結果地番ｒの評価値が認識結果地番ｓの評価値より大きいか又は等しい場合には、ステップＳ２１１に進み、認識結果地番ｒが重複・曖昧リストへ登録される。一意・確定リストに既登録の認識結果地番ｓはそのままである。認識結果地番ｒの評価値が認識結果地番ｓの評価値より小さい場合には、ステップＳ２０９に進み、認識結果地番ｒが一意・確定リストへ登録され、ステップＳ２１０にて、認識結果地番ｓが一意・確定リストから重複・曖昧リストへ移転登録される。
【００４５】
ステップＳ２０２にて、認識結果テーブル１５３の全ての認識結果地番３１１に対して比較処理が完了すると、ステップＳ２１２に進み、地番データテーブル１５２の全ての地番データレコード２１のマッチフラグ２１２が評価される。全てのマッチフラグ２１２が１の場合には、地番データテーブル１５２の全ての地番データレコード２１の地番すべてが自動認識処理Ｓ１にて認識され、認識結果テーブル１５３に登録済みである。従がって、データマッチング処理Ｓ２を終了する。マッチフラグ２１２が０である地番データレコード２１が存在する場合には、自動認識処理Ｓ１にて認識されなかった地番が存在し、認識結果テーブル１５３に未登録である。従がって、ステップＳ２１３にて、その未登録地番は認識結果テーブル１５３に格納され、未認識リストへ登録される。
【００４６】
図８を参照して、認識結果の確認処理Ｓ３の作業中に、ディスプレイ１２の画面に表示される認識処理確認画面の例を説明する。
図示のように、認識処理確認画面は、一意・確定リストボックス５１、重複・曖昧リストボックス５２、未認識リストボックス５３、大画像表示領域５４、小画像表示領域５５、地番文字コード表示領域５６、大画面表示領域切替メッシュ５７、確定結果網掛けチェックボタン５７１、指定領域内外認識結果削除チェックボタン５７２、確定結果スキップチェックボタン５７３、大画面表示領域切替チェックボタン５７４、大画面表示領域表示ボタン５７５、チェックボタン５７６、クリアボタン５７７及び終了ボタン５７８を含む。
【００４７】
一意・確定リストボックス５１には、「一意・確定リスト」に登録された認識結果地番が表示される。重複・曖昧リストボックス５２には、「重複・曖昧リスト」に登録された認識結果地番が表示される。未認識リストボックス５３には、「未認識リスト」に登録された地番が表示される。各リストの認識結果地番は昇順に表示される。
【００４８】
大画像表示領域５４には、自動認識処理の対象となった地図画面が表示される。地図画像上の地番は、図示のように、数種類の色の矩形によって囲まれて表示される。この矩形の色及び線幅によって、各リストに格納されている認識結果地番に関する情報が得られる。本実施例では、一意・確定リストボックス５１に登録されている認識結果地番を示す矩形は「緑」、重複・曖昧リストボックス５２に登録されている認識結果地番を示す矩形は「赤」、未認識リストボックス５３に登録されている未認識地番を示す矩形は「茶」で表示される。また、一意・確定リストボックス５１又は重複・曖昧リストボックス５２において選択されている認識結果地番を示す矩形は他の認識結果地番よりも太い線幅で表示される。
【００４９】
小画像表示領域５５には、一意・確定リストボックス５１又は重複・曖昧リストボックス５２にて選択されている認識結果地番付近の地図画像が切出されて表示される。未認識リストボックス５３の地番が選択されている場合には、小画像表示領域５５には何も表示されない。
【００５０】
地番文字コード表示領域５６には、各リストボックスにて選択されている認識結果地番の文字コードが表示される。この文字コードは、オペレータによるキーボードからの入力も可能であり、また、キーボードによって文字コードを修正することも可能である。このように本実施例では、地番文字コード表示領域５６にフォーカス（カーソル又はポイント）を移動させなくても文字の入力を実行することができるため、フォーカス移動のステップを省略することができる。
【００５１】
更に、オペレータが地番文字コード表示領域５６に文字コードの入力を開始すると、地番文字コード表示領域５６に表示されていた文字コードが自動的にクリアされる。したがって、文字コード削除のステップを省略することができる。
【００５２】
本例では、小画像表示領域５５と地番文字コード表示領域５６が並べて配置されるため、両者を対照するときオペレータの視線の移動量が小さい。小画像表示領域５５に表示される文字画像の大きさは、地番文字コード表示領域５６に表示される文字コードの大きさと略同一である。従がって、オペレータは、両者の対照を容易に実行することができる。このため、オペレータの疲労が軽減され、処理速度の向上を図ることができる。
【００５３】
大画面表示領域切替メッシュ５７は、特開平７−２４９１１３号公報に記載されている例のように、全画像領域をメッシュに分割し、メッシュの１区画を選択すると、選択された区画に相当する画像が大画像表示領域５４に表示される。更に本実施例においては、一意・確定リストボックス５１に登録された認識結果地番を含む区画を塗り潰し表示することができる。
【００５４】
確定結果網掛けチェックボタン５７１は、一意・確定リストボックス５１に登録されている確定地番を示す矩形が網掛け表示されるか否かを指定する。本実施例では、ＯＮであれば網掛け表示をし、ＯＦＦであれば網掛け表示を解除する。指定領域内外認識結果削除チェックボタン５７２は、オペレータが、大画像表示領域５４において明らかに認識結果地番ではないと思われる部分を見つけ出したとき、それを削除する場合に使用する。当該削除チェックボタン５７２は指定した領域の内側が削除されるのか、外側が削除されるのかを指定する。本実施例では、ＯＮであれば指定領域の内側が削除され、ＯＦＦであれば指定領域の外側が削除される。
【００５５】
確定結果スキップチェックボタン５７３は、一意・確定リストボックス５１の認識結果地番をマウスクリック以外で選択切替を実行するとき、一意・確定リストボックス５１の確定フラグが付いている認識結果地番が選択されないようにするか否かを指定する。本実施例では、ＯＮであれば選択されず、ＯＦＦであれば選択される。
【００５６】
大画面表示領域切替チェックボタン５７４は、一意・確定リストボックス５１又は重複・曖昧リストボックス５２にて選択されている認識結果地番が変更される毎に、大画像表示領域５４の表示を変更された地番が表示されるように切り替えるか否かを指定する。本実施例では、ＯＮであれば表示が切り替わり、ＯＦＦであれば表示が切り替わらない。
【００５７】
大画面表示領域表示ボタン５７５は、一意・確定リストボックス５１又は重複・曖昧リストボックス５２にて選択されている認識結果地番を大画像表示領域５４の中心位置に表示する。
チェックボタン５７６は、大画面表示領域切替メッシュ５７によって選択されたメッシュの区画に対してマーキングを実行する。クリアボタン５７７は、チェックボタン５７６によって実行されたマーキングを全てクリアする。最後に、終了ボタン５７８は、認識結果の確認処理Ｓ３を終了する。
【００５８】
図９を参照して、図２の認識結果の確認処理Ｓ３の処理手順を説明する。認識結果の確認処理Ｓ３は、演算処理装置１１の認識結果の確認処理部１１３によって実行される。まず、ステップＳ３０にて、オペレータは、図８の認識結果確認画面にて、明らかに地番でない文字、記号等が地番であると誤認識されていると判断したとき、当該認識結果地番を大画面表示領域より削除する。即ち、大画面表示領域の地番部分を囲っている矩形が削除される。さらに、当該認識結果地番が登録されている「一意・曖昧リストボックス」または「重複・曖昧リストボックス」より削除される。緯度及び経度、縮尺を表す数字、地図記号等は地番であると誤認識される可能性がある。特に、線、記号、文字、数字等が密集している領域では、地番の誤認識が発生する可能性が高い。誤認識部分の削除は、前述の指定領域内外認識結果削除チェックボタン５７２を使用して実行する。
【００５９】
次に、ステップＳ３１にて、重複・曖昧地番の確認処理を実行する。オペレータが重複・曖昧リストボックス５２にフォーカスを移すことによって処理が開始される。ステップＳ３１の詳細は、後に、図１０を参照して説明する。
次に、ステップＳ３２にて、一意・確定地番の確認処理を実行する。オペレータが一意・確定リストボックス５１にフォーカスを移すことによって処理が開始される。本実施例では、重複・曖昧地番の確認処理Ｓ３１の処理が全て終わると、自動的にフォーカスが一意・確定リストボックス５１に移る。ステップＳ３２の詳細は、後に、図１１を参照して説明する。
【００６０】
次に、ステップＳ３３にて、未認識地番の確認処理を実行する。オペレータが未認識リストボックス５３にフォーカスを移すことによって処理が開始される。本実施例では、一意・確定地番の確認処理Ｓ３２の処理が全て終わると、自動的にフォーカスが未認識リストボックス５３に移る。ステップＳ３３の詳細は、後に、図１２を参照して説明する。
【００６１】
３つの確認処理が全て終了すると、最後に、ステップＳ３４にて、認識結果テーブル１５３の中で状態フラグ３１７に確定状態を表す「１」が設定されている認識結果レコード３１が、ファイルとして出力される。出力されたファイルは、位置情報付き地番データ格納ファイル１６４に格納される。後に説明するが、本例では、位置情報付き地番データ格納ファイル１６４に格納されるのは、認識結果地番３１１と基準点３１２のみである。
【００６２】
本実施例では、確定した認識結果地番のみをファイルとして出力したが、最後まで未認識だった地番、重複した認識結果地番、確定率等の付随情報をログ情報としてファイル出力することも可能である。確定率とは、認識結果確定処理で確定となった地番と地番データとが一致する割合のことである。
【００６３】
図１０を参照して、図９の重複・曖昧地番の確認処理Ｓ３１を詳細に説明する。先ず、ステップＳ３１００にて、重複・曖昧リストボックス５２に認識結果地番が存在するか否かが判定される。認識結果地番が存在しない場合には重複・曖昧地番の確認処理Ｓ３１を終了する。認識結果地番が存在する場合には、自動的に重複・曖昧リストボックス５２における次の認識結果地番に選択状態が移り、ステップＳ３１０１に進む。
【００６４】
ステップＳ３１０１にて、メモリ１５の認識結果テーブル１５３から重複・曖昧リストボックス５２にて選択されている認識結果地番３１１を含む認識結果レコード３１が読み出され、基準点３１２、幅３１３、高さ３１４、角度３１５が読み出される。選択されている認識結果地番が中心位置に配置されるように切出し画像が小画像表示領域５５に表示され、認識結果地番の文字コードが地番文字コード表示領域５６に表示される。
【００６５】
本実施例では、図８の大画面表示領域切替チェックボタン５７４がＯＦＦである。従がって、重複・曖昧リストボックス５２にて選択されている認識結果地番が変更されたとき、大画像表示領域５４の画像は切り替わらずに、小画像表示領域５５及び地番文字コード表示領域５６の画像及び表示のみが自動的に切り替わる。大画面表示領域切替チェックボタン５７４がＯＮであれば、選択されている認識結果地番が変更されたとき、大画像表示領域５４の画像も自動的に切り替わる。また、大画面表示領域切替チェックボタン５７４がＯＦＦであっても、オペレータが大画面表示領域表示ボタン５７５をクリックすれば、大画像表示領域５４の画像を意図的に切り替えることができる。
【００６６】
ステップＳ３１０２にて、オペレータは、小画像表示領域５５に表示されている切出し画像が地番であるか否かを判定する。地図記号や緯度／経度を表す数字などを誤認識したもので地番とは異なる場合には、ステップＳ３１１１に進む。ステップＳ３１１１にて、オペレータは削除キーを押下し、重複・曖昧リストボックス５２にて選択されている認識結果地番を削除する。更に、認識結果テーブル１５３が更新される、即ち、削除された認識結果地番の状態フラグ３１７には破棄状態を表す２が設定される。ステップＳ３１１１の処理が終了すると、ステップＳ３１００に戻る。
一方、ステップＳ３１０２にて、オペレータが、小画像表示領域５５に表示されている切出し画像が地番であると判定すると、ステップＳ３１０３に進む。
【００６７】
ステップＳ３１０３にて、オペレータは、小画像表示領域５５に表示されている切出し画像の地番と地番文字コード表示領域５６に表示されている文字コードとを比較する。両者が同一であれば、ステップＳ３１０４に進む。両者が異なれば、オペレータは、ステップＳ３１１２にて、地番文字コード表示領域５６に表示されている文字コードを小画像表示領域５５に表示されている切出し画像の地番に一致するよう修正する。
ステップＳ３１０４にて、オペレータは両者が一致したことを確認し、確定処理のためにリターンキーを押下する。
【００６８】
次に、ステップＳ３１０５にて、重複・曖昧リストボックス５２にて選択されている認識結果地番と同一の地番が既に一意・確定リストボックス５１に存在するか否かが判定される。これは、ステップＳ３１１２にて、地番文字コード表示領域５６の文字コードを修正した場合、一意・確定リストボックス５１には認識結果地番が重複して存在する可能性があるためである。ステップＳ３１０５にて、同一地番が既に存在する場合には、ステップＳ３１０６に進み、一意・確定リストボックス５１に存在する同一地番の状態フラグ３１７に確定状態を表す「１」が設定されているか否かが判定される。
【００６９】
同一地番の状態フラグ３１７に「１」が設定されている場合には、ステップＳ３１０７に進み、大画像表示領域５４に当該一意・確定リストボックス５１に存在する同一地番が表示される。更に、一意・確定リストボックス５１にすでに同一地番の確定地番が存在するが、重複・曖昧リストボックス５２にて選択されている認識結果地番を確定地番として一意・確定リストボックス５１へ登録するか否かを問うメッセージボックスが表示される。当該メッセージボックスにはメッセージのほかにＯＫボタンとキャンセルボタンがついている。
【００７０】
ステップＳ３１０８にて、オペレータは、大画像表示領域５４に表示されている同一地番を確認し、重複・曖昧リストボックス５２にて選択されている認識結果地番を一意・確定リストボックス５１へ登録する場合には、ＯＫボタンをクリックし、登録しない場合にはキャンセルボタンをクリックする。ＯＫボタンをクリックすると、ステップＳ３１０９に進む。キャンセルボタンをクリックすると、ステップＳ３１０２に戻る。
【００７１】
ステップＳ３１０６にて、一意・確定リストボックス５１に存在する同一地番の状態フラグに確定状態を表す「１」が設定されていない場合には、ステップＳ３１１３に進み、一意・確定リストボックス５１に存在する同一地番は削除され、重複・曖昧リストボックス５２へ登録される。
【００７２】
最後に、ステップＳ３１０９にて、重複・曖昧リストボックス５２にて選択されている認識結果地番が削除され、一意・確定リストボックス５１へ登録される。ステップＳ３１１０にて、一意・確定リストボックス５１へ登録された当該認識結果地番の状態フラグには確定状態を表す「１」が設定される。
【００７３】
また一意・確定リストボックス５１にて、確定状態となった認識結果地番の横に○マークが付き、大画像表示領域５４の当該認識結果地番を囲む矩形が確定状態を表す色に変わる。この直後に、重複・曖昧リストボックス５２における次の認識結果地番が自動的に選択状態となり、表示等が変更される。
【００７４】
上述のように、ステップＳ３１１１の削除処理はオペレータによる削除キーの押下によって実行される。また、ステップＳ３１０４の確定処理はオペレータによるリターンキーの押下によって実行される。こうして、キーを使用し、マウスの使用を回避することによって、処理時間の短縮を図ることができる。
【００７５】
本実施例では、重複・曖昧地番の確認処理Ｓ３１は、ステップＳ３１００を経由することによって、重複・曖昧リストボックス５２から全ての認識結果地番がなくなるまで続けられるが、マウス等によってフォーカスを画面の他の位置に移すことも、途中で本処理を中断することも可能である。
【００７６】
図１１を参照して図９の一意・確定地番の確認処理Ｓ３２を詳細に説明する。先ず、ステップＳ３２００にて、一意・確定リストボックス５１に認識結果地番が存在するか否かが判定される。認識結果地番が存在しない場合には、一意・確定地番の確認処理Ｓ３２を終了する。認識結果地番が存在する場合には、自動的に一意・確定リストボックス５１における次の認識結果地番に選択状態が移り、ステップＳ３２０１に進む。
【００７７】
一意・確定リストボックス５１の認識結果地番には、上述の重複・曖昧地番の確認処理Ｓ３１にて確認され、既に確定地番となっているものが含まれる。従がって、本例の一意・確定地番の確認処理Ｓ３２において、一意・確定リストボックス５１に登録されている確定地番を再度ディスプレイに表示すると、操作の繰り返しとなり無駄である。そのため本実施例では、図８の確定結果スキップチェックボタン５７３をＯＮにし、確定地番に対して本例の一意・確定地番の確認処理Ｓ３２が実行されないようにする。
【００７８】
ステップＳ３２０１にて、一意・確定リストボックス５１にて選択されている認識結果地番の状態フラグが１であるか否かが判定される。選択されている認識結果地番の状態フラグが１であればそれは確定地番であり、ステップＳ３２００に戻る。
【００７９】
選択されている認識結果地番の状態フラグが１でなければそれは確定地番でないから、ステップＳ３２０２に進み、重複・曖昧地番の確認処理Ｓ３１の場合と同様に、一意・確定リストボックス５１にて選択されている認識結果地番が中心位置に配置されるように切出し画像が小画像表示領域５５に表示され、認識結果地番の文字コードが地番文字コード表示領域５６に表示される。
【００８０】
ステップＳ３２０３にて、オペレータは、小画像表示領域５５に表示されている切出し画像が地番であるか否かを判定する。地図記号や緯度／経度を表す数字などを誤認識したもので地番とは異なる場合にはステップＳ３２１４に進む。ステップＳ３２１４にて、オペレータは削除キーを押下し、一意・確定リストボックス５１にて選択されている認識結果地番を削除する。それによって、一意・確定リストボックス５１にて、削除された当該認識結果地番に×マークが表示される。更に、認識結果テーブル１５３が更新される、即ち、削除された認識結果地番の状態フラグ３１７には破棄状態を表す２が設定される。
【００８１】
ステップＳ３２１５にて、地番文字コード表示領域５６に表示されている認識結果地番の文字コードと同一の地番が一意・確定リストボックス５１に存在するか否かが判定される。同一の地番が存在しない場合には、ステップＳ３２１６にて、地番文字コード表示領域５６に表示されている認識結果地番の文字コードと同一の地番が重複・曖昧リストボックス５２に存在するか否かが判定される。存在しない場合には、ステップＳ３２１７にて、地番文字コード表示領域５６に表示されている認識結果地番が未認識リストボックス５３に登録される。また、大画像表示領域５４上の当該地番を示す矩形の表示が削除される。ステップＳ３２１７の処理が終了すると、ステップＳ３２００に戻る。
【００８２】
また、ステップＳ３２１５又はステップＳ３２１６にて、地番文字コード表示領域５６に表示されている認識結果地番の文字コードと同一の地番が一意・確定リストボックス５１又は重複・曖昧リストボックス５２に存在する場合には、ステップＳ３２００に戻る。
一方、ステップＳ３２０３にて、オペレータが、小画像表示領域５５に表示されている切出し画像が地番であると判定すると、ステップＳ３２０４に進む。
【００８３】
ステップＳ３２０４にて、オペレータは、小画像表示領域５５に表示されている切出し画像の地番と地番文字コード表示領域５６に表示されている文字コードとを比較する。両者が同一であればステップＳ３２０５に進む。両者が異なれば、オペレータは、ステップＳ３２１２にて、地番文字コード表示領域５６に表示されている文字コードを小画像表示領域５５に表示されている切出し画像の地番に一致するように修正する。
ステップＳ３２０５にて、オペレータは両者が一致したことを確認し、確定処理のためにリターンキーを押下する。
【００８４】
次に、ステップＳ３２０６にて、一意・確定リストボックス５１にて選択されている認識結果地番と同一の地番が既に一意・確定リストボックス５１に存在するか否かが判定される。これは、ステップＳ３２１２にて、地番文字コード表示領域５６の文字コードを修正した場合、一意・確定リストボックス５１には認識結果地番が重複して存在する可能性があるためである。ステップＳ３２０６にて、同一地番が既に存在する場合には、ステップＳ３２０７に進み、一意・確定リストボックス５１に存在する同一地番の状態フラグ３１７に確定状態を表す「１」が設定されているか否かが判定される。
【００８５】
同一地番の状態フラグ３１７に「１」が設定されている場合には、ステップＳ３２０８進み、大画像表示領域５４に当該一意・確定リストボックス５１に存在する同一地番が表示される。更に、一意・確定リストボックス５１にすでに同一地番の確定地番が存在するが、一意・確定リストボックス５１にて選択されている認識結果地番を確定地番とするか否かを問うメッセージボックスが表示される。当該メッセージボックスにはメッセージのほかにＯＫボタンとキャンセルボタンがついている。
【００８６】
ステップＳ３２０９にて、オペレータは、大画像表示領域５４に表示されている同一地番を確認し、一意・確定リストボックス５１にて選択されている認識結果地番を一意・確定リストボックス５１へ登録する場合には、ＯＫボタンをクリックし、登録をしない場合にはキャンセルボタンをクリックする。ＯＫボタンをクリックすると、ステップＳ３２１０に進む。キャンセルボタンをクリックすると、ステップＳ３２０３に戻る。
【００８７】
ステップＳ３２０７にて、一意・確定リストボックス５１に存在する同一地番の状態フラグに確定状態を表す「１」が設定されていない場合には、ステップＳ３２１３に進み、一意・確定リストボックス５１に存在する同一地番は削除され、重複・曖昧リストボックス５２へ登録される。
【００８８】
次に、ステップＳ３２１０にて、一意・確定リストボックス５１にて、確定状態となった認識結果地番の横に○マークが付き、大画像表示領域５４の当該認識結果地番を囲む矩形が確定状態を表す色に変わる。またステップＳ３２１１にて、一意・確定リストボックス５１にて選択されている認識結果地番の状態フラグには確定状態を表す「１」が設定される。この直後に、一意・確定リストボックス５１における次の認識結果地番が自動的に選択状態となり、表示等が変更される。
【００８９】
図１２を参照して図９の未認識地番の確認処理Ｓ３３を詳細に説明する。本例では、未認識地番の確認処理方法は２通りあり、未認識リストボックス５３にしたがって順次処理を進めていく方法（以下に「順次法」と言う。）と、大画像表示領域５４に表示されている画像から随時未認識地番を探していく方法（以下に「随時法」と言う。）がある。
【００９０】
ステップＳ３３００にて、オペレータは順次法か随時法かを選択する。順次法では、先ずステップＳ３３０１にて、未認識リストボックス５３に未認識地番が存在するか否かが判定される。未認識リストボックス５３に未認識地番が存在しない場合には、未認識地番の確認処理Ｓ３３を終了する。未認識リストボックス５３に未認識地番が存在する場合には、ステップＳ３３０２に進み、大画像表示領域５４にて、未認識リストボックス５３にて選択されている未認識地番に最も近い値の確定地番の周辺が表示される。ここでは、地図上の地番は、通常、地番の値が近いものが近辺に存在するという特徴を利用する。
【００９１】
ステップＳ３３０３にて、オペレータは、未認識リストボックス５３にて選択されている未認識地番が大画像表示領域５４に存在するか否かを判定する。大画像表示領域５４に当該未認識地番が存在する場合には、ステップＳ３３０４に進み、オペレータは大画像表示領域５４に表示されている当該未認識地番をクリックする。ステップＳ３３０５にて、クリックされた位置及び当該未認識地番の文字コード数から、未認識地番の位置情報、即ち、認識結果レコード３１の基準点３１２、幅３１３、高さ３１４が求められる。当該未認識地番は未認識リストボックス５３から削除され、一意・確定リストボックス５１へ確定地番として登録される。また、一意・確定リストボックス５１にて、登録された確定地番の横には○マークが付く。
【００９２】
最後に、ステップＳ３３０６にて、認識結果テーブル１５３が更新される。即ち、認識結果テーブル１５３に格納されている当該未認識地番のレコードの基準点３１２、幅３１３、高さ３１４にはステップＳ３３０５にて求めた値が設定される。角度３１５、確かさ３１６には０が設定される。状態フラグ３１７には確定状態を表す「１」が設定される。大画像表示領域５４上のクリックされた位置には確定状態を表す色の矩形が表示される。矩形の表示は、上述の基準点３１２、幅３１３及び高さ３１４に基づいて求められる。
【００９３】
ステップＳ３３０６における認識結果テーブル１５３の更新処理が終了するとステップＳ３３００に戻る。ステップＳ３３０３にて、大画像表示領域５４にて、選択された未認識地番が存在しない場合には、ステップＳ３３００に戻る。
【００９４】
本実施例では、誤入力を防ぐため、Ｃｔｒｌキーを押しながらクリックした位置を取得する。また、大画面表示領域切替チェックボタン５７４がＯＮの状態になっているため、大画像表示領域５４が自動的に切り替わる。しかし、大画面表示領域切替チェックボタン５７４をＯＦＦの状態とし、大画面表示領域表示ボタン５７５を使用することによって大画像表示領域５４の表示を変更してもよい。
【００９５】
ステップＳ３３００にて、オペレータが随時法を選択すると、先ずステップＳ３３０７にて、オペレータは大画像表示領域５４に未認識地番が存在するか否かを判定する。未認識地番を見つけ出す方法としては、図８の大画面表示領域切替メッシュ５７を使用して、画像全体をメッシュの１区画毎に順次チェックしていき、１区画内からすべての未認識地番を見つけ出したらチェックボタン５７６にて、確認済みのチェックマークをつけていく方法と、重複・曖昧地番の確認処理Ｓ３１や一意・確定地番の確認処理Ｓ３２のような他の作業をしているときに偶然見つける方法などがある。
【００９６】
ステップＳ３３０７にて、オペレータが、大画像表示領域５４にて未認識地番を見つけ出すことができた場合には、ステップＳ３３０８に進む。ステップＳ３３０８にて、オペレータは、見つけ出した未認識地番の文字コードを地番文字コード表示領域５６に入力する。ステップＳ３３０９にて、オペレータは、大画像表示領域５４上にて見つけ出した未認識地番をクリックする。
【００９７】
ステップＳ３３１０にて、地番文字コード表示領域５６に入力した文字コードと同一の地番が未認識リストボックス５３に存在するか否かが判定される。未認識リストボックス５３に同一地番が存在する場合には、ステップＳ３３１７に進み、未認識リストボックス５３からその同一地番が削除される。ステップＳ３３１０にて、未認識リストボックス５３に同一地番が存在しない場合には、ステップＳ３３１１に進み、一意・確定リストボックス５１に当該未認識地番と同一の地番が存在するか否かが判定される。一意・確定リストボックス５１に同一地番が存在する場合には、ステップＳ３３１２に進む。
【００９８】
ステップＳ３３１２にて、一意・確定リストボックス５１の同一地番の状態フラグに確定状態を表す「１」が設定されているか否かが判定される。確定フラグ「１」が設定されている場合には、ステップＳ３３１３にて、大画像表示領域５４に同一地番が表示される。
【００９９】
ステップＳ３３１４にて、当該未認識地番を確定地番として一意・確定リストボックス５１へ登録するか否かを問うメッセージボックスが表示される。当該メッセージボックスにはメッセージのほかにＯＫボタンとキャンセルボタンがついている。オペレータは、同一地番を大画像表示領域５４にて確認し、当該未認識地番を一意・確定リストボックス５１へ登録する場合にはＯＫボタンをクリックし、登録しない場合にはキャンセルボタンをクリックする。オペレータがＯＫボタンをクリックした場合には次のステップＳ３３１５に進み、キャンセルボタンをクリックした場合にはステップＳ３３０７に戻る。
【０１００】
ステップＳ３３１２にて、一意・確定リストボックス５１の同一地番の状態フラグに確定状態を表す「１」が設定されていない場合、ステップＳ３３１８にて、当該同一地番は一意・確定リストボックス５１から削除され、重複・曖昧リストボックス５２へ登録される。
【０１０１】
ステップＳ３３１５にて、地番文字コード表示領域５６に入力された文字コードと同一の未認識地番が一意・確定リストボックス５１へ登録される。
ステップＳ３３１６にて、認識結果テーブルが更新される。当該未認識地番の状態フラグには確定状態を表す「１」が設定される。大画像表示領域５４にてクリックされた位置及び当該未認識地番の文字コード数から、当該未認識地番の位置情報、即ち、認識結果レコード３１の基準点３１２、幅３１３、高さ３１４が求められる。当該未認識地番とその基準点３１２、幅３１３、高さ３１４は認識結果テーブルに格納される。また、角度３１５、確かさ３１６には０が設定される。更に一意・確定リストボックス５１では、確定状態となった認識結果地番の横に○マークが付き、大画像表示領域５４の当該認識結果地番を囲む矩形が確定状態を表す色で新しく表示される。
【０１０２】
未認識地番の確認処理Ｓ３３を実行する際に、確定結果網掛けチェックボタン５７１をＯＮにし、確定地番を示す矩形を網掛け表示してもよい。それによって、オペレータは、大画像表示領域５４にて未認識地番の確認処理Ｓ３３の実行に不要な認識結果地番を見ることがない。従がって、未認識地番を大画像表示領域５４の画像から探し出す操作が軽減される。
【０１０３】
以上本発明の実施の形態を説明したが、本発明は上述の実施の形態に限定されるものではなく、特許請求の範囲に記載された発明の範囲内にて様々な変更が可能であることは当業者に理解されよう。
【０１０４】
【発明の効果】
本発明によれば、オペレータは簡単な操作によって認識結果地番の確認作業を実行することができる効果がある。
本発明によれば、オペレータはディスプレイに表示された１つの画面にて認識結果地番の確認を順次行うことができる効果がある。
本発明によれば、多数の認識結果地番を無駄が無く重複作業がなく効率的に実行することができる効果がある。
【図面の簡単な説明】
【図１】本発明による認識結果の対話的確認支援システムの構成例を示す図である。
【図２】本発明の認識結果の対話的確認処理の実施形態の手順を示す流れ図である。
【図３】本発明による地番データテーブルの内容を説明するための説明図である。
【図４】本発明による認識結果テーブルの内容を説明するための説明図である。
【図５】本発明によるリストインデクステーブルの内容を説明するための説明図である。
【図６】本発明による自動認識処理の処理手順を説明するための流れ図である。
【図７】本発明によるデータマッチング処理の処理手順の概要を説明するための流れ図である。
【図８】本発明による認識結果の確認処理において、ディスプレイに表示された認識結果確認画面の例を示す図である。
【図９】本発明による認識結果の確認処理の処理手順の概要を説明するための流れ図である。
【図１０】本発明による認識結果の確認処理に含まれる重複・曖昧地番の確認処理の処理手順の概要を説明するための流れ図である。
【図１１】本発明による認識結果の確認処理に含まれる一意・確定地番の確認処理の処理手順の概要を説明するための流れ図である。
【図１２】未本発明による認識結果の確認処理に含まれる未認識地番の確認処理の処理手順の概要を説明するための流れ図である。
【符号の説明】
１１…演算処理装置、１１１…自動認識処理部、１１２…データマッチング処理部、１１３…認識結果の確認処理部、１１４…表示処理部、１２…ディスプレイ、１３…キーボード、１４…マウス、１５…メモリ、１５１…画像データ記憶部、１５２…地番データテーブル、１５３…認識結果テーブル、１５４…リストインデクステーブル、１６…ハードディスク、１６１…画像データ格納ファイル、１６２…地番データ格納ファイル、１６３…認識結果格納ファイル、１６４…位置情報付き地番データ格納ファイル、２１…地番データレコード、２１１…地番、２１２…マッチフラグ、３１…認識結果レコード、３１１…認識結果地番、３１２…基準点、３１３…幅、３１４…高さ、３１５…角度、３１６…確かさ、３１７…状態フラグ、４１…インデクスレコード、４１１…地番、４１２…インデクス、５１…一意・確定リストボックス、５２…重複・曖昧リストボックス、５３…未認識リストボックス、５４…大画像表示領域、５５…小画像表示領域、５６…地番文字コード表示領域、５７…大画面表示領域表示切替メッシュ、５７１…確定結果網掛けチェックボタン、５７２…指定領域内外認識結果削除チェックボタン、５７３…確定結果スキップチェックボタン、５７４…大画面表示領域切替チェックボタン、５７５…大画面表示領域表示ボタン、５７６…チェックボタン、５７７…クリアボタン、５７８…終了ボタン、Ｓ１…自動認識処理、Ｓ２…データマッチング処理、Ｓ３…認識結果の確認処理、
【図１】
2004102722.tif 000003
【図２】
2004102722.tif 000004
【図３】
2004102722.tif 000005
【図４】
2004102722.tif 000006
【図５】
2004102722.tif 000007
【図６】
2004102722.tif 000008
【図７】
2004102722.tif 000009
【図８】
2004102722.tif 000010
【図９】
2004102722.tif 000011
【図１０】
2004102722.tif 000012
【図１１】
2004102722.tif 000013
【図１２】
2004102722.tif 000014